(57)【要約】【課題】利便性とセキュリティ性とを両立させた印刷システム、印刷方法、及びプログラムを提供する。【解決手段】印刷システムであって、セキュリティ印刷サーバーがコンテンツをセキュリティレベルで区分けし、セキュリティレベルの低いMFPでは、コンテンツのうちのセキュリティレベルの低い箇所のみ印刷し、セキュリティレベルの高いMFPでは、コンテンツのうちのセキュリティレベルの低い箇所から高い箇所まで印刷する印刷システムであって、印刷の際には、MFPがチケットを発行し、そのチケットを他のMFPがスキャンすることによってコンテンツを識別し、セキュリティレベルに応じて他のMFPが印刷を行う。【選択図】図１
2014038537.tif 000002
【特許請求の範囲】
【請求項１】
セキュリティ情報を管理するセキュリティ印刷サーバーと、印刷要求を発行するパーソナルコンピュータと、印刷を行うMFPとがネットワークで接続され、印刷物をセキュリティレベルに応じて印刷する印刷システムであって、
前記セキュリティ印刷サーバーがコンテンツをセキュリティレベルで区分けし、前記セキュリティレベルの低いMFPでは、前記コンテンツのうちの前記セキュリティレベルの低い箇所のみ印刷し、前記セキュリティレベルの高いMFPでは、前記コンテンツのうちの前記セキュリティレベルの低い箇所から高い箇所まで印刷する印刷システムであって、
印刷の際には、MFPがチケットを発行し、そのチケットを他のMFPがスキャンすることによって前記コンテンツを識別し、スキャンした他のMFPのセキュリティレベルに応じて前記他のMFPが印刷を行うようにしたことを特徴とする印刷システム。
【請求項２】
前記チケットは、所定の識別パターンを持ち、前記MFPで印刷することが可能であり、印刷したチケットをスキャンすることによりコンテンツを識別することが可能なことを特徴とする請求項１記載の印刷システム。
【請求項３】
前記チケットは、QRコードを有することを特徴とする請求項２記載の印刷システム。
【請求項４】
二回目以降に印刷する際には、一度印刷したコンテンツをスキャンし、差分のみを同一の用紙に印刷することにより、余分な印刷を回避するようにしたことを特徴とする請求項１記載の印刷システム。
【請求項５】
前記キュリティ印刷サーバーと、前記MFPとの間の通信において、通信するデータを暗号化することによって、セキュリティ性をより高めることを特徴とする請求項１または４記載の印刷システム。
【請求項６】
前記チケットを発行する際の認証手順において、暗号化を用いることによって、セキュリティ性をより高めることを特徴とする請求項１、４、または５記載の印刷システム。
【請求項７】
前記セキュリティ印刷サーバーを複数台稼動させることによって、１台のセキュリティ印刷サーバーがダウンした場合であってもバックアップサーバーがセキュリティ印刷を代行することを特徴とする請求項１、４、５、または６に記載の印刷システム。
【請求項８】
セキュリティ情報を管理するセキュリティ印刷サーバーと、印刷要求を発行するパーソナルコンピュータと、印刷を行うMFPとがネットワークで接続されたシステムで印刷物をセキュリティレベルに応じて印刷する印刷方法であって、
前記セキュリティ印刷サーバーがコンテンツをセキュリティレベルで区分けし、前記セキュリティレベルの低いMFPでは、前記コンテンツのうちの前記セキュリティレベルの低い箇所のみ印刷し、前記セキュリティレベルの高いMFPでは、前記コンテンツのうちの前記セキュリティレベルの低い箇所から高い箇所まで印刷する印刷方法であって、
印刷の際には、MFPがチケットを発行し、そのチケットを他のMFPがスキャンすることによって前記コンテンツを識別し、スキャンした他のMFPのセキュリティレベルに応じて前記他のMFPが印刷を行うことを特徴とする印刷方法。
【請求項９】
セキュリティ情報を管理するセキュリティ印刷サーバーと、印刷要求を発行するパーソナルコンピュータと、印刷を行うMFPとがネットワークで接続され、印刷物をセキュリティレベルに応じて印刷する印刷システムにおけるセキュリティ印刷サーバーの制御を行うプログラムであって、
コンピュータに、
前記セキュリティ印刷サーバーが、コンテンツをセキュリティレベルで区分けする手順、
前記セキュリティレベルの低いMFPが、前記コンテンツのうちの前記セキュリティレベルの低い箇所のみ印刷する手順、
前記セキュリティレベルの高いMFPが、前記コンテンツのうちの前記セキュリティレベルの低い箇所から高い箇所まで印刷する手順、
を実行させ、
印刷の際には、
MFPが、チケットを発行する手順、
他のMFPが、そのチケットをスキャンすることによって前記コンテンツを識別する手順、
前記他のMFPが、スキャンした他のMFPのセキュリティレベルに応じて印刷を行う手順、
を実行させることを特徴とするプログラム。
【発明の詳細な説明】
【技術分野】
【０００１】
本発明は、印刷システム、印刷方法、及びプログラムに関する。
【背景技術】
【０００２】
極秘情報を含む会議資料を印刷する際などに、印刷した後そのままプリンターに会議資料を置き忘れてしまったり、印刷した会議資料を取りに行くのに時間がかかってしまったりすると、極秘情報が漏洩する可能性があるという問題が生じる。
そこで、印刷するためのチケットを発行し、チケットによって印刷場所（プリンター）を制限させるという技術が既に知られている（例えば、特許文献１参照。）。
【０００３】
特許文献１に記載の発明は、「通信システム、画像処理装置及び画像処理方法、認証サーバー、画像管理方法、及び画像管理プログラム、並びに画像処理システム」に関するものであり、具体的には「画像処理システムとしてのデジタル著作権管理システムは、クライアントが保有するデジタル画像データのうちユーザーに配信すべき画像データにその著作権を保護するための著作権保護対策を実施し、当該著作権保護付きのDRM画像データを管理するためのコンテンツ管理サーバーと、DRM画像データを保存及び／又は印刷するためマルチファンクションプリンターと、を備える。マルチファンクションプリンターは、コンテンツ管理サーバーにより発行されたアクセスチケットの範囲内でDRM画像データに対するプリント処理及び／又は保存処理を実行する」ものである。
ここで、DRM画像とは、Digital Rights Managementの略であり、画像データ等の権利保護の実現を目的とした技術である。
【発明の概要】
【発明が解決しようとする課題】
【０００４】
ところで、特許文献１に記載の技術では、コンテンツ全体に保護をかけることはできるが、コンテンツを、部分的に保護することができないという問題があった。
会議資料を例に取ると、会議資料は、開催日時、開催場所、出席者リスト、議題、本文、本文中の重要データなどから成る。これらのうち、開催日時、開催場所は、セキュリティをかけて保護するような情報ではなく、任意の場所で印刷しても構わないような情報である。
【０００５】
しかし、本文や本文中の重要データは、セキュリティをかけて保護すべき情報であり、限定された場所に設置されたプリンターでのみ印刷を許可すべきものである。会議参加者としては、開催日時、開催場所を印刷した資料を持参した上で会議室に出向き、会議室で残りの部分を印刷できるシステムが望まれる。
【０００６】
そこで、本発明の目的は、利便性とセキュリティ性とを両立させた印刷システム、印刷方法、及びプログラムを提供することにある。
【課題を解決するための手段】
【０００７】
上記課題を解決するため、請求項１記載の発明は、セキュリティ情報を管理するセキュリティ印刷サーバーと、印刷要求を発行するパーソナルコンピュータと、印刷を行うMFPとがネットワークで接続され、印刷物をセキュリティレベルに応じて印刷する印刷システムであって、前記セキュリティ印刷サーバーがコンテンツをセキュリティレベルで区分けし、前記セキュリティレベルの低いMFPでは、前記コンテンツのうちの前記セキュリティレベルの低い箇所のみ印刷し、前記セキュリティレベルの高いMFPでは、前記コンテンツのうちの前記セキュリティレベルの低い箇所から高い箇所まで印刷する印刷システムであって、印刷の際には、MFPがチケットを発行し、そのチケットを他のMFPがスキャンすることによって前記コンテンツを識別し、スキャンした他のMFPのセキュリティレベルに応じて前記他のMFPが印刷を行うようにしたことを特徴とする。
【発明の効果】
【０００８】
本発明によれば、利便性とセキュリティ性とを両立させた印刷システム、印刷方法、及びプログラムの提供を実現することができる。
【図面の簡単な説明】
【０００９】
【図１】一実施形態に関わるセキュリティ印刷システムの全体について説明するための説明図である。
【図２】（ａ）は、図１に示した印刷システムに用いられるセキュリティ印刷サーバー11が管理する会議情報について説明するための説明図であり、（ｂ）は、（ａ）に示した会議資料を説明するための説明図であり、（ｃ）は、MFPセキュリティレベル情報の一例である。
【図３】（ａ）〜（ｃ）は、セキュリティレベルに応じた印刷について説明するための説明図である。
【図４】図１に示したセキュリティ印刷システムによるチケットの発行手順及びチケットを用いた印刷手順について説明するためのフロー図である。
【図５】図１に示した印刷システムにおけるチケットを用いた差分印刷手順について説明するためのフロー図の一例である。
【図６】図１に示した印刷システムにおけるセキュリティ印刷サーバーへの会議情報登録方法について説明するための説明図である。
【図７】図１に示した印刷システムにおけるセキュリティ印刷サーバーでの会議資料セキュリティレベル設定について説明するための説明図である。
【発明を実施するための形態】
【００１０】
本実施の形態について図面を参照して説明する。
＜概  要＞
本発明は、コンテンツを印刷するためのチケットを発行し、そのチケットを元にコンテンツを印刷する処理に際して、以下の特徴を有する。
要するに、コンテンツの中身をセキュリティレベルで区分けし、印刷する際に発行するチケットにセキュリティレベルの情報を紐付け、セキュリティレベルの低い場所では機密情報ではない情報のみ印刷させ、セキュリティレベルの高い場所でのみ、機密情報も印刷させることを含む。
【００１１】
＜実施の形態＞
図１は、一実施形態に関わるセキュリティ印刷システムの全体について説明するための説明図である。
なお本構成図において、実施形態を実現するためのソフトウェア/ファームウェアが、MFP(multifunction peripheral)、セキュリティ印刷サーバーに搭載されている。それぞれのソフトウェア/ファームウェアが本実施例を実現するように協調しながら、動作する。
【００１２】
チケットを利用するセキュリティ印刷システムにおいては、セキュリティ情報を管理するセキュリティ印刷サーバー11、チケットや印刷物を印刷するMFP1〜MFP6、印刷要求を発行するPC(personal computer)1〜PC3がLAN(local area network)やWAN(wide area network)などのネットワークで接続されている。
オフィスエリアA2にはPC1〜PC3やMFP5,MFP6が複数台存在している。オフィスエリアA2に存在するMFP5,MFP6は、誰もが使用することができ、セキュリティレベルは低い。
【００１３】
オフィスエリアA2の外部には、会議室エリアA1があり、複数の会議室A〜会議室Fが存在している。会議室には、MFPが設置してある場合と、設置していない場合とがある。会議室内に設置されているMFP1〜MFP3は、その部屋で開催される会議に参加するメンバーによってのみ使用され、セキュリティレベルは高い。会議室共用エリアA3には、共通で使用されるMFP4が存在していても良い。このMFP4は、会議室エリアA1のいずれかの会議室で行われる会議に参加するメンバーによってのみ使用され、会議室内に設置されているMFP1〜MFP3よりはセキュリティレベルが低いが、オフィスエリアA2に設置されているMFP5,MFP6よりもセキュリティレベルが高い。
【００１４】
セキュリティ印刷サーバー11は、会議に関する資料のセキュリティ印刷を実現するのに必要な情報を保持するサーバーであり、オフィスエリアA2や会議室エリアA1の外部に存在する。
PC1〜PC3は、セキュリティ印刷サーバー11に要求を発行して、会議に関するチケットを取得する。チケットは、オフィスエリアA2にあるMFP5,MFP6で印刷することができる。チケットは、例えば、QR(quick response)コード（登録商標）のようなものである。このチケットを、MFPにスキャンさせると、そのMFPのセキュリティレベルに応じたコンテンツが印刷される。
【００１５】
図２（ａ）は、図１に示した印刷システムに用いられるセキュリティ印刷サーバー11が管理する会議情報について説明するための説明図であり、図２（ｂ）は、図２（ａ）に示した会議資料を説明するための説明図であり、図２（ｃ）は、MFPセキュリティレベル情報の一例である。
【００１６】
セキュリティ印刷サーバー11は、会議に関する情報を保持している。１つの会議に関する情報は、開催日時、開催場所、参加者、会議資料、パスワードを有する。
会議資料は、MFPが理解できるプリンター言語で記述されている。
パスワードは、チケットを発行する際の認証に使用される。
開催日時、開催場所、参加者、会議資料の各項目には、セキュリティレベルが割り当てられている。同図に示した例では、() を使ってセキュリティレベルを表している。例えば、会議Aの開催日時情報は、セキュリティレベル1であり、同じく会議Aの会議資料のセキュリティレベルは2、会議Cの会議資料のセキュリティレベルは3である。
【００１７】
セキュリティレベルを表す数値は、大きければ大きいほど機密性が高いことを表す。
会議資料は、特定の箇所のセキュリティレベルを変更することが可能である。上の例では、会議Aの資料である会議A.pdlのうち、議題の部分はセキュリティレベル1に、本文の一部とグラフとがセキュリティレベル3に設定されている。会議A.pdlのセキュリティレベルは2であるので、セキュリティレベルを変更した箇所以外のところは、セキュリティレベル2である。
【００１８】
セキュリティ印刷サーバー11は、MFP1〜MFP6のセキュリティレベルに関する情報も保持している。上例では、MPF1、MPF2、MFP3にセキュリティレベル1が、MFP4にセキュリティレベル2が、MFP5、MFP6にセキュリティレベル3が割り当てられていることを表している。
【００１９】
会議に関する情報に割り当てられているセキュリティレベルと、MFPに割り当てられているセキュリティレベルには、所定の関係がある。会議に関する情報に割り当てられているセキュリティレベルが、MFPに割り当てられているセキュリティレベルよりも高い、すなわちセキュリティレベルの数値が小さいか、もしくは等しいときに限って、そのMFPで、その会議に関する情報を印刷することができる。
例えば、会議Cの開催日時情報は、セキュリティレベル1であるので、この情報は、MFP1〜MFP6のいずれでも印刷することができる。また、会議Cの会議資料は、セキュリティレベル3であるので、MFP1、MFP2、MPF3のいずれかでなければ印刷することができない。
【００２０】
図３（ａ）〜（ｃ）は、セキュリティレベルに応じた印刷について説明するための説明図である。
図３（ａ）は、セキュリティレベル1のMFPで印刷した会議Aの会議資料の一例である。
図３（ａ）において、日時、場所、参加者、及び、「ＸＸＸＸＸＸＸＸ、ＹＹＹＹＹＹＹ、ＺＺＺＺＺＺＺ」と表記されている議題が記載されている。これらの項目はセキュリティレベルが最も低い「１」レベルである。
図３（ｂ）は、図３（ａ）の印刷後、追加でセキュリティレベル２のMFPで印刷した会議Aの会議資料の一例である。
図３（ｂ）において、日時、場所、参加者、前出した議題、及び「ＸＸＸＸＸＸＸ、・ＸＸＸ ＸＸＸ ＸＸ、・ＸＸＸ ＸＸ ＸＸＸ、・ＹＹＹ ＹＹ ＹＹＹＹ、・ＺＺ ＺＺＺ ＺＺＺＺＺ」と表記されている議題関連事項の一部の文字情報が記載されている。これらの項目はセキュリティレベルが中程度の「２」レベルである。
図３（ｃ）は、図３（ｂ）の印刷後、追加でセキュリティレベル３のMFPで印刷した会議Aの会議資料の一例である。
図３（ｃ）において、日時、場所、参加者、前述した議題、「ＸＸＸＸＸＸＸ、・ＸＸＸ ＸＸＸ ＸＸ、・ＸＸＸ ＸＸ ＸＸＸ、・ＡＡ ＡＡＡ ＡＡＡ、・ＹＹＹ ＹＹ ＹＹＹＹ、・ＺＺ ＺＺＺ ＺＺＺＺＺ」と表記されている議題関連事項の全部、棒グラフ、及び円グラフが記載されている。これらの項目はセキュリティレベルが高程度の「３」である。
【００２１】
図２の会議Aの資料の、セキュリティレベルに応じた印刷について説明する。
会議Aの資料は、開催日時、開催場所、参加者のセキュリティレベルは１であり、また会議資料のセキュリティレベルは２である。会議資料の中には、部分的にセキュリティレベル１の箇所と、セキュリティレベル３の箇所とがある。
セキュリティレベル１のMFPで印刷する場合は、開催日時、開催場所、参加者、及び会議資料の一部である議題が印刷される（図３（ａ））。
【００２２】
セキュリティレベル２のMFPで印刷する場合は、セキュリティレベル１のMFPで印刷される部分に加えて、セキュリティレベル3の箇所を除く会議資料が印刷される（図３（ｂ））。
セキュリティレベル３のMFPで印刷する場合は、会議に関する全ての情報が印刷される（図３（ｃ））。
【００２３】
すなわち、本セキュリティ印刷システムにおいて、手差し給紙トレイに一部が印刷された用紙を置いておくと、追加印刷されることを原則とする。
用紙に図３（ａ）に示した内容が印刷された後、その用紙をセキュリティレベル２のMFPの手差し給紙トレイに置くとMFPはその用紙に印刷すると、１枚目、及び２枚目の用紙には何も印刷されず、３枚目に新たに印刷する。
用紙に図３（ｂ）に示した内容が印刷された後、その印刷後の用紙をセキュリティレベル３のMFPの手差し給紙トレイに置くと、そのMFPは１枚目、及び２枚目の用紙には何も印刷せず、３枚目の用紙に議題関連事項のセキュリティレベルの高い部分である「ＡＡ ＡＡＡ ＡＡＡ」、棒グラフ、及び円グラフを追加印刷する。
手差し給紙トレイに何も置かれていない場合は、MFPは全てを新しく印刷する。
【００２４】
図４は、図１に示したセキュリティ印刷システムによるチケットの発行手順及びチケットを用いた印刷手順について説明するためのフロー図である。
【００２５】
会議情報や会議資料を印刷するには、まずチケットが必要である。
チケットは、セキュリティ印刷サーバー11（図１参照）に対して、参加する会議に対するチケットをユーザーが要求することによって印刷されたものを取得することができる。
【００２６】
ユーザーがセキュリティ印刷サーバー11に対してチケットを要求すると、パスワードが要求される（ステップS1）。
セキュリティ印刷サーバー11は、パスワードを用いてユーザーの認証を行う（ステップS2）。
セキュリティ印刷サーバー11は、パスワードが正しいと判定した場合（ステップS2／YES）、ステップS4に進み、パスワードが正しくないと判定した場合（ステップS2／NO）、会議参加者のPCに対して、エラー通知を返して終了する（ステップS3）。
チケットは、QRコードの図形データとしてセキュリティ印刷サーバー11から会議参加者のPCに送信することで配布される（ステップS4）。
このチケットは、任意のMFPで印刷することができる（ステップS5）。
【００２７】
ユーザーは、このチケットを使用することにより、会議情報や会議資料を印刷することができる。ユーザーがチケットをMFPにスキャンさせると（ステップS6）、MFPは、スキャンしたQRコードと自身の番号とをセキュリティ印刷サーバー11に送信する（ステップS7）。
ここで、セキュリティ印刷サーバー11が自身の番号を送信するのは、セキュリティ印刷サーバー11がMFPのセキュリティレベルを知るためである。セキュリティ印刷サーバー11は、受信したQRコードを解釈し、会議を特定する（ステップS8）。
【００２８】
ここで、会議に関する情報を初めて印刷するか、初めての印刷であるか、２回目以降の印刷であるかによって、場合分けが生じる（ステップS9）。
２回目以降の印刷の場合（ステップS9／NO）、次の図５にて説明する。
【００２９】
セキュリティ印刷サーバー11は、初めての印刷の場合（ステップS9／YES）、QRコードと共に送られてきたMFPの番号から、MFPセキュリティレベルを取得し、得られたセキュリティレベルと照らし合わせる。セキュリティ印刷サーバー11は、セキュリティレベルに応じた会議情報や会議資料を、MFPが理解できるプリンター言語データとして生成し、MFPに送信する（ステップS10）。
なお、このプリンター言語データの送信の際、会議情報や会議資料には、全ページの余白に、資料名、ページ番号、及び印刷セキュリティレベルが目立たないように、例えば５ポイント程度の大きさでマークされる。これは、次の図５にて説明する差分印刷のための情報である。
MFPは、受信したプリンター言語データを解釈して印刷して終了する（ステップS11）。
【００３０】
図５は、図１に示した印刷システムにおけるチケットを用いた差分印刷手順について説明するためのフロー図の一例である。
セキュリティレベル1のMFPで印刷した後、セキュリティレベル2のMFPで印刷する場合等、一度印刷してから、よりセキュリティレベルの高いMFPで印刷する場合は、差分印刷を行う。
【００３１】
セキュリティ印刷サーバー11は、印刷済みの会議情報、会議資料をスキャンさせるようにMFPに要求する（ステップS21）。
MFPは、印刷済みの会議情報や会議資料をスキャンするようにパネルにその旨を表示する（ステップS22）。
ユーザーとしての会議参加者は、印刷済みの会議情報や会議資料をMFPにスキャンさせる（ステップS23）。
MFPは、印刷済みの会議情報、会議資料をスキャンして、セキュリティ印刷サーバー11に送信する（ステップS24）。
【００３２】
印刷された会議情報や会議資料の余白には、資料名、ページ番号、セキュリティレベルがマークされており、MFPは、これらの資料名、ページ番号、セキュリティレベルを読み取って、印刷された会議情報や会議資料のセキュリティレベル、及び欠損ページを取得する（ステップS25）。
【００３３】
セキュリティ印刷サーバー11は、スキャンされたセキュリティレベルと、MFPのセキュリティレベルとを比較し、差分のみを印刷するようなプリンター言語データを生成する。欠損しているページがある場合は、差分ではなく、そのセキュリティレベルに応じたページを最初から作成する。全ページの余白には、ページ番号と印刷セキュリティレベルとを、例えば５ポイントの大きさで目立たないようにマークする。セキュリティ印刷サーバー11は、このようにして作成したプリンター言語データをMFPに送信する（ステップS26）。
【００３４】
MFPは、プリンター言語データを受けて、印刷済み会議情報、会議資料を手差しトレイに置くように、パネルにその旨を表示することによりユーザーとしての会議参加者に要求する（ステップS27）。
会議参加者は、会議情報や会議資料を手差しトレイに置き、OKボタンを押下する（ステップS28）。
MFPは、セキュリティ印刷サーバー11から受信したプリンター言語データを解釈し、手差しトレイに置かれた用紙に印刷して終了する（ステップS29）。
【００３５】
図６は、図１に示した印刷システムにおけるセキュリティ印刷サーバーへの会議情報登録方法について説明するための説明図である。
ユーザーとしての会議主催者は、会議名、開催日時、開催場所、参加者、会議資料、パスワードを、セキュリティ印刷サーバー11に登録する。さらに、これらの項目のセキュリティレベルを設定する。これを行うには、セキュリティ印刷サーバー11が提供するウェブインターフェースもしくは専用GUI(graphical user interface)を使用する。
【００３６】
図６は、ウェブインターフェースもしくは専用GUIの一例である。
図６に示すウェブインターフェースに必要な項目を入力し、各項目に設定するセキュリティレベルを入力するようになっている。
会議資料は、複数登録が可能なように、追加ボタンが用意されている。追加ボタンを押下して追加した資料は、削除ボタンとともに表示される。削除ボタンを押下すると、登録されている資料は削除される。
OKボタンを押下することにより、入力した会議情報を登録するようになっている。
【００３７】
図７は、図１に示した印刷システムにおけるセキュリティ印刷サーバーでの会議資料セキュリティレベル設定について説明するための説明図である。
セキュリティ印刷サーバー11は、登録された会議資料のセキュリティレベルを設定するための画面も用意する。画面左には、登録した資料の一覧が表示され、ラジオボタンによって編集する資料を選択する。選択された資料は、画面右側の編集ウィンドウに表示される。編集ウィンドウの右側にはスクロールバーがついており、資料の中の任意の部分を自由に表示することが可能である。
【００３８】
編集ウィンドウにて、セキュリティレベルを設定する箇所をマウスで選択し、編集ウィンドウ左側にあるテキストエリアにてセキュリティレベルを設定し、OKボタンを押下すると、マウスで選択した箇所のセキュリティレベルが変更される。
終了ボタンを押下することにより、会議資料のセキュリティレベル設定を終了する。
【００３９】
＜プログラム＞
以上で説明した本発明に係る印刷システムにおけるセキュリティ印刷サーバーは、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００４０】
例えば、
セキュリティ情報を管理するセキュリティ印刷サーバーと、印刷要求を発行するパーソナルコンピュータと、印刷を行うMFPとがネットワークで接続され、印刷物をセキュリティレベルに応じて印刷する印刷システムにおけるセキュリティ印刷サーバーの制御を行うプログラムであって、
コンピュータに、
セキュリティ印刷サーバーが、コンテンツをセキュリティレベルで区分けする手順、
セキュリティレベルの低いMFPが、コンテンツのうちのセキュリティレベルの低い箇所のみ印刷する手順、
セキュリティレベルの高いMFPが、コンテンツのうちのセキュリティレベルの低い箇所から高い箇所まで印刷する手順、
を実行させ、
印刷の際には、
MFPが、チケットを発行する手順、
他のMFPが、そのチケットをスキャンすることによって前記コンテンツを識別する手順、
前記他のMFPが、スキャンした他のMFPのセキュリティレベルに応じて印刷を行う手順、
を実行させるプログラムが挙げられる。
【００４１】
これにより、プログラムが実行可能なコンピュータ環境さえあれば、どこにおいても本発明に係る印刷システムにおけるセキュリティ印刷サーバーを実現することができる。
【００４２】
＜記憶媒体＞
このようなプログラムは、コンピュータに読み取り可能な記憶媒体に記憶されていてもよい。
ここで、記憶媒体としては、例えば、CD-ROM（Compact Disc Read Only Memory）、フレキシブルディスク（FD）、CD-R（CD Recordable）、ROM（Read Only Memory）、FeRAM（強誘電体メモリ）等の半導体メモリやHDD（Hard Disc Drive）が挙げられる。
【００４３】
＜作用効果＞
本実施の形態によれば、コンテンツの中身をセキュリティレベルで区分けし、印刷する際にはまずチケットを発行し、そのチケットにセキュリティレベルの情報を紐付け、オフィス内等のセキュリティレベルの低い場所では一部の機密情報ではない情報のみ印刷させ、会議室等のセキュリティレベルの高い場所でのみ、機密情報も印刷させることを可能にするので、利便性とセキュリティ性とを両立させた印刷システム、印刷方法、及びプログラムの提供を実現することができる。
【００４４】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４５】
１１    セキュリティ印刷サーバー
Ａ１    会議室エリア
Ａ２    オフィスエリア
Ａ３    会議室共用エリア
ＰＣ１〜ＰＣ３    パーソナルコンピュータ
【先行技術文献】
【特許文献】
【００４６】
【特許文献１】特開２００５−３５４５１７号公報
【図１】
2014038537.tif 000003
【図２】
2014038537.tif 000004
【図３】
2014038537.tif 000005
【図４】
2014038537.tif 000006
【図５】
2014038537.tif 000007
【図６】
2014038537.tif 000008
【図７】
2014038537.tif 000009